(57)【要約】【課題】車両又はキー端末自体に対する使用者の愛着心を高めることができる車両及び車両のキー端末を提供すること。【解決手段】キー端末４０に任意の演出情報を記憶させておくと、キー端末４０の認証情報が適合する場合に演出情報が車両１０に送信される。そして、車両１０の起動時及び終了時の少なくとも一方において、車両１０の表示部２７及び音出力部２３及び発光部２５の少なくとも一つにより、キー端末４０に記憶させた演出情報に応じた演出が行われる。【選択図】図８
2007269042.tif 000002
【特許請求の範囲】
【請求項１】
外部記憶媒体から所与の演出情報を取得する情報取得部と、
取得した前記演出情報を記憶する記憶部と、
前記演出情報と車両を起動させるための認証情報とを車両に送信する送信部と、
を含むキー端末により起動が制御される車両であって、
前記キー端末から送信された前記認証情報を受信し、該認証情報が適合する場合に前記演出情報を受信する受信部と、
前記受信した演出情報に基づいて、前記車両の表示部及び音出力部及び発光部の少なくとも一つを制御して所与の演出を行わせる演出制御部と、
を含み、
前記演出制御部は、
前記車両の起動時及び終了時の少なくとも一方において、前記所与の演出を行わせることを特徴とする車両。
【請求項２】
車両の起動を制御するためのキー端末であって、
外部記憶媒体から、前記車両の起動時及び終了時の少なくとも一方において、当該車両の表示部及び音出力部及び発光部の少なくとも一つを制御して所与の演出を行わせるための演出情報を取得する情報取得部と、
取得した前記演出情報を記憶する記憶部と、
前記演出情報を前記車両に送信する送信部と、
を含むことを特徴とするキー端末。
【請求項３】
車両の起動を制御するためのキー端末であって、
前記車両と情報の送受信を行う送受信部と、
所与の画像を表示させる表示部と、
所与のプログラムに基づき、前記表示部に表示させる画像の表示制御を行う表示制御部と、
前記車両を起動させていない場合に、使用者の入力情報を取得する情報取得部と、
取得した前記入力情報を記憶する記憶部と、
を含み、
前記表示制御部は、
前記車両からの受信情報に応じて車両の起動時及び終了時の少なくとも一方において、前記入力情報に基づき前記画像の表示制御を行うことを特徴とするキー端末。
【請求項４】
請求項３において、
ＧＰＳセンサから位置情報を取得する情報取得部を更に含み、
前記記憶部は、取得した前記位置情報を記憶し、
前記表示制御部は、
前記車両からの受信情報に応じて車両の起動時及び終了時の少なくとも一方において、前記入力情報と位置情報とに基づき前記画像の表示制御を行うことを特徴とするキー端末。
【請求項５】
請求項４において、
カメラ部から写真画像情報を取得する情報取得部を更に含み、
前記情報取得部は、
前記取得した写真画像情報と、当該写真画像情報を取得したときの前記位置情報とを関連付けて記憶部に記憶させることを特徴とするキー端末。
【請求項６】
車両の起動を制御するためのキー端末であって、
所与の画像を表示させる表示部と、
所与のプログラムに基づき、前記表示部に表示させる画像の表示制御を行う表示制御部と、
前記車両を起動させていない場合に、使用者の入力情報を取得する情報取得部と、
取得した前記入力情報を記憶する記憶部と、
通信可能範囲内に存在する他機と無線通信が可能な通信部と、
を含み、
前記通信部は、
前記入力情報に基づき生成された送信情報を他機に送信し、
前記表示制御部は、
他機からの受信情報に基づき、前記画像の表示制御を行うことを特徴とするキー端末。
【請求項７】
請求項３〜６のいずれかにおいて、
前記車両から車両情報を取得する情報取得部を更に含み、
前記表示制御部は、
車両の起動時及び終了時の少なくとも一方において、前記入力情報と車両情報とに基づき、前記画像の表示制御を行うことを特徴とするキー端末。
【請求項８】
請求項３〜７のいずれかにおいて、
加速度センサから車両の加速度情報を取得する情報取得部を更に含み、
前記表示制御部は、
車両の起動時及び終了時の少なくとも一方において、前記入力情報と加速度情報とに基づき、前記画像の表示制御を行うことを特徴とするキー端末。
【請求項９】
請求項３〜８のいずれかにおいて、
外部記憶媒体から、前記車両の表示部及び音出力部及び発光部の少なくとも一つを制御して所与の演出を行わせるための演出情報を取得する情報取得部と、
取得した前記演出情報を記憶する記憶部と、
前記演出情報を前記車両に送信する送信部と、
を更に含むことを特徴とするキー端末。
【請求項１０】
請求項３〜９のいずれかにおいて、
前記表示部に表示させるキャラクタのパラメータを設定するパラメータ設定部を更に含み、
前記パラメータ設定部は、
前記情報取得部が取得した情報に基づき、前記パラメータを更新することを特徴とするキー端末。
【請求項１１】
請求項３〜１０のいずれかにおいて、
前記表示制御部は、
前記情報取得部が取得した情報に基づき、前記キャラクタの移動・動作の表示を制御することを特徴とするキー端末。
【発明の詳細な説明】
【技術分野】
【０００１】
本発明は、車両及び車両の起動を制御するためのキー端末に関する。
【背景技術】
【０００２】
従来より、例えば、電子キーから発信されるキー固有の認証情報と、車両に登録された認証情報とを照合し、認証情報が一致すれば車両の電気系や駆動系の起動を許可する電子キーシステムが知られている。このような電子キーシステムとしては例えば特開２００５−３２０７０８号公報に開示される従来技術がある。このような従来の電子キーシステムは、認証情報を多様化することができるので、車両の盗難防止に用いられている。
【特許文献１】特開２００５−３２０７０８号公報
【発明の開示】
【発明が解決しようとする課題】
【０００３】
しかし、従来の電子キーシステム等では、キー端末が記憶する情報、キー端末から送出する情報は認証情報等の車両を起動させるための情報のみであり、キー端末が記憶する情報によって車両又はキー端末自体が使用者の嗜好に合わせて動作するものはなかった。
【０００４】
本発明は、以上のような課題に鑑みてなされたものであり、その目的とするところは、キー端末を介して車両又はキー端末自体を使用者の嗜好に合わせて動作させ、車両又はキー端末自体に対する使用者の愛着心を高めることができる車両及び車両のキー端末を提供することにある。
【課題を解決するための手段】
【０００５】
（１）本発明は、
外部記憶媒体から所与の演出情報を取得する情報取得部と、
取得した前記演出情報を記憶する記憶部と、
前記演出情報と車両を起動させるための認証情報とを車両に送信する送信部と、
を含むキー端末により起動が制御される車両であって、
前記キー端末から送信された前記認証情報を受信し、該認証情報が適合する場合に前記演出情報を受信する受信部と、
前記受信した演出情報に基づいて、前記車両の表示部及び音出力部及び発光部の少なくとも一つを制御して所与の演出を行わせる演出制御部と、
を含み、
前記演出制御部は、
前記車両の起動時及び終了時の少なくとも一方において、前記所与の演出を行わせることを特徴とする車両に関係する。
【０００６】
本発明において、車両の起動とは、キー端末を車両に装着すること、スイッチ等を操作すること、車両の電気系統を起動させること、駆動系統を起動させること等を含む。また、車両の終了とは、スイッチ等を操作すること、キー端末を車両から外すこと、車両の電気系統を終了させること、駆動系統を終了させること等を含む。
【０００７】
本発明によれば、キー端末に任意の演出情報を記憶させておくと、キー端末の認証情報が適合する場合に演出情報が車両に送信される。そして、車両の起動時及び終了時の少なくとも一方において、車両の表示部及び音出力部及び発光部の少なくとも一つにより、キー端末に記憶させた演出情報に応じた演出が行われる。
【０００８】
従って、本発明によれば、キー端末により対応する車両を起動させるとき、或いは起動させた車両の動作を終了させるときに、車両の使用者の嗜好に合わせた演出を例えば車両の発光部の点滅等により行うことができる。これにより、本発明によれば、車両に対する使用者の愛着心を効果的に高め、使用者における車両の価値を著しく高めることができる魅力的な車両を提供するができる。
【０００９】
しかも、本発明では、使用者が携帯可能なキー端末に演出情報を記憶させることができるので、キー端末をパーソナルコンピュータ等に接続し、容易に演出情報の取得、更新等を行うことができる。
【００１０】
（２）また本発明は、
車両の起動を制御するためのキー端末であって、
外部記憶媒体から、前記車両の起動時及び終了時の少なくとも一方において、当該車両の表示部及び音出力部及び発光部の少なくとも一つを制御して所与の演出を行わせるための演出情報を取得する情報取得部と、
取得した前記演出情報を記憶する記憶部と、
前記演出情報を前記車両に送信する送信部と、
を含むことを特徴とするキー端末に関係する。
【００１１】
本発明によれば、キー端末に任意の演出情報を記憶させておくことにより、車両の表示部及び音出力部及び発光部の少なくとも一つにより、キー端末に記憶させた演出情報に応じた演出を行わせることができる。
【００１２】
従って、本発明によれば、車両の使用者の嗜好に合わせた演出を例えば車両の発光部の点滅等により行うことができる。これにより、本発明によれば、車両及びキー端末自体に対する使用者の愛着心を効果的に高め、使用者における車両及びキー端末の価値を著しく高めることができる魅力的なキー端末を提供するができる。
【００１３】
しかも、本発明では、使用者が携帯可能なキー端末に演出情報を記憶させることができるので、キー端末をパーソナルコンピュータ等に接続し、容易に演出情報の取得、更新等を行うことができる。
【００１４】
（３）また本発明は、
車両の起動を制御するためのキー端末であって、
前記車両と情報の送受信を行う送受信部と、
所与の画像を表示させる表示部と、
所与のプログラムに基づき、前記表示部に表示させる画像の表示制御を行う表示制御部と、
前記車両を起動させていない場合に、使用者の入力情報を取得する情報取得部と、
取得した前記入力情報を記憶する記憶部と、
を含み、
前記表示制御部は、
前記車両からの受信情報に応じて車両の起動時及び終了時の少なくとも一方において、前記入力情報に基づき前記画像の表示制御を行うことを特徴とするキー端末に関係する。
【００１５】
本発明によれば、車両を起動させていない場合に使用者が入力情報を入力することができ、車両の起動時及び終了時の少なくとも一方において、キー端末の表示部に、キー端末の使用者固有の入力情報に応じた画像を表示させることができる。これにより、本発明によれば、車両及びキー端末自体に対する使用者の愛着心を効果的に高め、使用者における車両及びキー端末の価値を著しく高めることができる魅力的なキー端末を提供するができる。
【００１６】
しかも、本発明では、携帯可能なキー端末に入力情報を記憶させることができるので、例えば、使用者がキー端末を持って車両から離れているときに、表示部に使用者に対する質問を示す画像等を表示させ、当該質問画像等に対応する入力情報を記憶させることにより、使用者が車両から離れているときでもキー端末とコミュニケーションを行わせることができる。従って、本発明によれば、車両及びキー端末自体に対する使用者の愛着心を効果的に高め、使用者における車両及びキー端末の価値を著しく高めることができる。
【００１７】
（４）また本発明に係るキー端末では、
ＧＰＳセンサから位置情報を取得する情報取得部を更に含み、
前記記憶部は、取得した前記位置情報を記憶し、
前記表示制御部は、
前記車両からの受信情報に応じて車両の起動時及び終了時の少なくとも一方において、前記入力情報と位置情報とに基づき前記画像の表示制御を行うようにしてもよい。
【００１８】
本発明によれば、ＧＰＳセンサからキー端末の位置情報を取得することができ、車両の起動時及び終了時の少なくとも一方において、キー端末の表示部に、キー端末の使用者固有の入力情報に加え、固有の位置情報応じた画像を表示させることができる。例えば、車両の起動時に、起動時のキー端末の位置に応じた画像を表示させたり、車両の終了時に、起動時から終了時までの移動履歴に応じた画像を表示させることができる。これにより、本発明によれば、車両及びキー端末自体に対する使用者の愛着心を効果的に高め、使用者における車両及びキー端末の価値を著しく高めることができる魅力的なキー端末を提供するができる。
【００１９】
（５）また本発明に係るキー端末では、
カメラ部から写真画像情報を取得する情報取得部を更に含み、
前記情報取得部は、
前記取得した写真画像情報と、当該写真画像情報を取得したときの前記位置情報とを関連付けて記憶部に記憶させるようにしてもよい。
【００２０】
本発明によれば、車両とともに移動するキー端末のカメラ部により取得された写真画像情報が、いずれの場所で撮像した写真画像情報であるかを、ＧＰＳ情報により特定することができる。従って、キー端末に記憶させた写真画像情報をパーソナルコンピュータ等に送出して編集する際に、写真画像情報を取得した位置と、車両が走行した経路とを関連付けることができ、車両の走行に関連付けた情報の整理を容易に行うことができる。
【００２１】
（６）また本発明は、
車両の起動を制御するためのキー端末であって、
所与の画像を表示させる表示部と、
所与のプログラムに基づき、前記表示部に表示させる画像の表示制御を行う表示制御部と、
前記車両を起動させていない場合に、使用者の入力情報を取得する情報取得部と、
取得した前記入力情報を記憶する記憶部と、
通信可能範囲内に存在する他機と無線通信が可能な通信部と、
を含み、
前記通信部は、
前記入力情報に基づき生成された送信情報を他機に送信し、
前記表示制御部は、
他機からの受信情報に基づき、前記画像の表示制御を行うことを特徴とするキー端末に関係する。
【００２２】
本発明によれば、他のキー端末が通信可能範囲に存在する場合に、使用者固有の入力情報に基づく送信情報を他機に送信し、他機からの受信情報に応じた画像を表示部に表示させる。従って、本発明によれば、同種の車両の使用者間でキー端末を介してコミュニケーションを行うことができ、車両及びキー端末自体に対する使用者の愛着心を効果的に高め、使用者における車両及びキー端末の価値を著しく高めることができる。
【００２３】
（７）また本発明に係るキー端末では、
前記車両から車両情報を取得する情報取得部を更に含み、
前記表示制御部は、
車両の起動時及び終了時の少なくとも一方において、前記入力情報と車両情報とに基づき、前記画像の表示制御を行うようにしてもよい。
【００２４】
本発明によれば、キー端末の表示部に、キー端末の使用者固有の入力情報と車両情報とを反映した画像を表示させることができる。これにより、本発明によれば、車両及びキー端末自体に対する使用者の愛着心をより効果的に高め、使用者における車両及びキー端末の価値を著しく高めることができる。
【００２５】
（８）また本発明に係るキー端末では、
加速度センサから車両の加速度情報を取得する情報取得部を更に含み、
前記表示制御部は、
車両の起動時及び終了時の少なくとも一方において、前記入力情報と加速度情報とに基づき、前記画像の表示制御を行うようにしてもよい。
【００２６】
本発明によれば、キー端末の表示部に、キー端末の使用者固有の入力情報と車両の加速度情報とを反映した画像を表示させることができる。従って、本発明によれば、使用者固有の情報と使用者の車両の運転状況に応じた画像を表示させることができる。これにより、本発明によれば、車両及びキー端末自体に対する使用者の愛着心をより効果的に高め、使用者における車両及びキー端末の価値を著しく高めることができる。
【００２７】
（９）また本発明に係るキー端末では、
外部記憶媒体から、前記車両の表示部及び音出力部及び発光部の少なくとも一つを制御して所与の演出を行わせるための演出情報を取得する情報取得部と、
取得した前記演出情報を記憶する記憶部と、
前記演出情報を前記車両に送信する送信部と、
を更に含むようにしてもよい。
【００２８】
本発明によれば、キー端末の表示部に使用者と車両に関連付けた画像を表示させることに加え、車両の表示部及び音出力部及び発光部の少なくとも一つにより、キー端末に記憶させた演出情報に応じた演出を行わせることができる。従って、本発明によれば、車両の使用者の嗜好に合わせた演出を車両においても行い、車両及びキー端末自体に対する使用者の愛着心を効果的に高め、使用者における車両及びキー端末の価値を著しく高めることができる魅力的なキー端末を提供するができる。
【００２９】
（１０）また本発明に係るキー端末では、
前記表示部に表示させるキャラクタのパラメータを設定するパラメータ設定部を更に含み、
前記パラメータ設定部は、
前記情報取得部が取得した情報に基づき、前記パラメータを更新するようにしてもよい。
【００３０】
本発明によれば、取得した種々の情報に基づきキャラクタのパラメータを更新して、表示部に表示させるキャラクタを取得情報に応じて様々に変化させることができる。例えば使用者の入力情報、ＧＰＳセンサから位置情報、カメラ部から写真画像情報、車両から車両情報、加速度センサから車両の加速度情報、及びこれら各種情報の任意の組合せに基づいて、キャラクタのパラメータを更新することができる。従って、本発明によれば、使用者固有の情報や、車両の走行状況、キー端末の使用状況を反映してキャラクタ表示を行うことができる。こうして本発明によれば、車両及びキー端末自体に対する使用者の愛着心を効果的に高め、使用者における車両及びキー端末の価値を更に高めることができる魅力的なキー端末を提供するができる。
【００３１】
（１１）また本発明に係るキー端末では、
前記表示制御部は、
前記情報取得部が取得した情報に基づき、前記キャラクタの移動・動作の表示を制御するようにしてもよい。
【００３２】
本発明によれば、取得した種々の情報に基づきキャラクタの移動・動作の表示を制御して、表示部に表示させるキャラクタを取得情報に応じて様々に移動・動作させることができる。例えば使用者の入力情報、ＧＰＳセンサから位置情報、カメラ部から写真画像情報、車両から車両情報、加速度センサから車両の加速度情報、及びこれら各種情報の任意の組合せに基づいて、キャラクタの移動・動作を制御することができる。特にＧＰＳセンサから位置情報、車両情報の走行距離情報等に基づいてキャラクタの移動・動作を制御することにより、車両又はキー端末の移動状況とキャラクタの仮想空間における移動・動作を関連付けることができる。
【００３３】
従って、本発明によれば、使用者固有の情報や、車両の走行状況、キー端末の使用状況を反映してキャラクタの移動・動作の制御を行うことができる。こうして本発明によれば、車両及びキー端末自体に対する使用者の愛着心を効果的に高め、使用者における車両及びキー端末の価値を更に高めることができる魅力的なキー端末を提供するができる。
【発明を実施するための最良の形態】
【００３４】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００３５】
１．概略外観図
図１に本実施形態の車両の概略外観図を示す。ここでは、車両として電動バイク１０を用いた例を挙げて説明する。なお、本実施形態は、電動バイクに限らずガソリンバイクや車等にも適用することができる。
【００３６】
電動バイク１０は、本体部１２、前輪１４、後輪１６、座部１８、ハンドル部２０を有する。本体部１２の左右側面には、音楽や音声などを出力するスピーカ２２が設けられている。また、本体部１２の前方には、ヘッドライト２４が設けられ、その左右には１対のウィンカーランプ２６が設けられている。また、座部１８の後方には、テールランプ２８が設けられ、その左右には１対のウィンカーランプ３０が設けられている。
【００３７】
図２に本実施形態のキー端末４０の概略外観図を示す。図２（Ａ）に示すように、キー端末４０は、図中の上面に、赤外線送受信部４２を有する。そして、キー端末４０が電動バイク１０に装着されると、キー端末に記憶されている認証情報を電動バイク１０に送信し、認証情報が適合すると電動バイク１０を起動させることができるようになっている。
【００３８】
このキー端末４０は、使用者が携帯可能に形成され、前面中央部には、端末表示部４４が設けられている。この端末表示部４４には、キャラクタ画像４６や文字情報等が表示される。また、端末表示部４４の下方には、３つの操作ボタン４８が設けられている。また、端末表示部４４の上方には、左右１対のＬＥＤ発光部５０が設けられている。また、キー端末４０の側面には、パーソナルコンピュータ等の外部端末と接続するためのＵＳＢコネクタ５２が設けられている。
【００３９】
またキー端末４０は、車両１０に装着されていない状態でカメラ部５４として機能する。このため図２（Ｂ）に示すように、キー端末４０の裏面上部には、カメラ部５４のレンズ５６とフラッシュ５８が設けられている。例えば、キー端末４０が車両１０に装着されていない状態で使用者が操作ボタン４８を操作してカメラモードに切り替えると、レンズ５６から受光した外光を画像として端末表示部４４に表示させる。そして、操作ボタン４８を撮像スイッチとして用いて写真画像を取得することができる。
【００４０】
また、キー端末４０の裏面下部には、キー端末４０が電動バイク１０に装着されているか否かを検出するスイッチ５９が設けられている。例えば、電動バイク１０のキー端末４０の装着部に凸部を設け、キー端末４０が電動バイク１０に装着されると、凸部とスイッチ５９とが係合し、装着を検出するようにしてもよい。
【００４１】
図３に、キー端末４０を電動バイク１０に装着した例を示す。図３は、図１に示す電動バイク１０の本体部１２を上方から見た図である。図３に示すように、本実施形態では、キー端末４０は、電動バイク１０の本体部１２の上面、即ちハンドル部２０と座部１８の間に設けられた装着部６６に装着される。また、装着部６６の前方、即ち本体部１２の上面のヘッドライト２４側には、車両の速度情報や電力量情報など種々の情報が表示される車両表示部６８が設けられている。また、ハンドル部２０の左グリップ６０の付け根には、ウィンカーランプ２６を操作するためのウィンカースイッチ６２と、電動バイク１０を起動させるためのスタータスイッチ６４とが設けられている。また、ハンドル部２０の右グリップ７０の付け根には、キー端末４０をミュージックプレイヤーとして機能させて車両１０のスピーカ２２から音楽を出力する際のコントロールスイッチ７２が設けられている。
【００４２】
２．構成
図４に本実施形態の車両１０（電動バイク）とキー端末４０の機能ブロック図の例を示す。なお本実施形態の車両１０とキー端末４０は図４の構成要素（各部）の一部を省略した構成としてもよい。
【００４３】
２−１．車両の構成
以下、車両１０の各構成について説明する。送受信部１１は、電動バイク１０とキー端末４０との間でデータの送受信を行うものである。具体的には送受信部１１は、ＩｒＤＡ（Ｉｎｆｒａｒｅｄ  Ｄａｔａ  Ａｓｓｏｃｉａｔｉｏｎ、赤外線通信協会）規格に則り、赤外線発光部と赤外線受光部とにより赤外線でデータをやり取りする赤外線送受信部や、ＩＣカードシステム等、電波発信部と電波受信部とにより電波でデータをやり取りする電波送受信部等のデータ送受信システムにより実現することができる。ここで、送受信部１１によりやり取りされるデータとしては、キー端末４０から電動バイク１０に送信される電動バイク１０を起動させるための認証情報や、電動バイク１０からキー端末４０に送信される制御信号や、車両情報等、種々のものが挙げられる。
【００４４】
駆動部１３は、車両１０を駆動するためのものである。具体的には、電動モータやガソリンエンジン等により実現できる。
【００４５】
車両情報センサ１５は、車両１０の速度、走行距離、電力や燃料の残量、駆動部の温度等、車両１０に関する種々の状態を検出するためのものであり、各種センサにより実現することができる。
【００４６】
車両音出力部２３は、他機からの送信情報を受信したことなどを使用者に伝えたり、所与の演出を行うために音を発生させるものであり、スピーカやヘッドフォン等により実現できる。
【００４７】
車両発光部２５は、ヘッドライト２４、ウィンカーランプ２６・３０、テールランプ２８等から構成される。
【００４８】
車両表示部６８は、車両の速度情報や電力量情報など種々の画像を表示出力するものであり、その機能は液晶ディスプレイ、有機ＥＬディスプレイ、或いは操作部と表示部の両方の機能を有するタッチパネル型表示部により実現できる。
【００４９】
記憶部２７は、車両処理部３１などのワーク領域となるもので、その機能はＲＡＭなどのハードウェアにより実現できる。
【００５０】
情報記憶媒体２９（コンピュータにより読み取り可能な媒体）は、プログラムやデータなどを格納するものであり、その機能は、メモリ（ＲＯＭ）などのハードウェアにより実現できる。車両処理部３１は、この情報記憶媒体２９に格納されるプログラム（データ）に基づいて本実施形態の種々の処理を行う。即ち情報記憶媒体２９には、本実施形態の各部としてコンピュータを機能させるためのプログラム（各部をコンピュータに実現させるためのプログラム）が記憶（記録、格納）される。
【００５１】
車両処理部３１は、スイッチ類からの操作データや、センサ類からの検出データ、プログラムなどに基づいて、車両制御処理や演出制御処理などの各種の処理を行う。この場合、車両処理部３１は、記憶部２７内の主記憶部をワーク領域として使用して、各種の処理を行う。この車両処理部３１の機能は、各種プロセッサ（ＣＰＵ、ＤＳＰ等）又はＡＳＩＣ（ゲートアレイ等）などのハードウェアや、プログラム（ゲームプログラム）により実現できる。
【００５２】
車両処理部３１は、車両制御部３３と、演出制御部３５とを含む。車両制御部３３は、車両１０を起動させるための認証情報を受信した場合に、該認証情報と車両１０側のメモリに記憶している認証情報と適合するか否かを比較判定する処理を行う。そして、認証情報が適合する場合には、スタータスイッチ６４からの入力信号に基づいて駆動部１３を起動させるための処理を行い、制御信号をキー端末４０に送信するための処理を行う。また、車両情報センサ１５からの検出信号に基づいて車両表示部６８に車両速度等を表示させたり、駆動部１３の回転数や出力等に基づいてギアチェンジなどの各種車両制御処理を行う。
【００５３】
演出制御部３５は、記憶部２７に記憶された所与の演出情報に基づいて、車両表示部６８、スピーカ２２、ヘッドライト２４、ウィンカーランプ２６・３０、テールランプ２８等を制御して、車両１０において行わせる演出の制御を行う。この演出情報としては、車両表示部６８に表示させる画像データとその制御プログラム、スピーカ２２から出力する楽音や音声などの音データ、ランプ類を点滅制御するための制御プログラム等が挙げられる。特に、本実施形態では、演出情報をキー端末４０から送信部１１を介して受信し、演出制御部３５は、駆動部１３の起動信号が入力されると、受信した演出情報に基づき、車両表示部６８に表示させるキャラクタ画像や文字画像等の表示制御や、スピーカ２２から出力させる音の制御や、ランプ類の点滅制御等を行う。
【００５４】
２−２．キー端末の構成
次に、キー端末４０の各構成について説明する。送受信部４２は、キー端末４０と電動バイク１０との間でデータの送受信を行うものである。具体的には送受信部４２は、電動バイク１０の送受信部１１と同様の構成により実現することができる。
【００５５】
表示部４４は、キャラクタ画像や文字画像等の種々の画像を表示出力するものであり、その機能は液晶ディスプレイ、有機ＥＬディスプレイ、或いは操作部と表示部の両方の機能を有するタッチパネル型表示部により実現できる。
【００５６】
操作部４８は、使用者が操作情報やモード切替情報などの入力情報を入力するためのものである。その機能は、例えばボタンやレバーの他、入力部と表示部の両方の機能を有するタッチパネル型表示部（パネルに画像が表示されると共に、指やペンで画面を触れたり押すことで情報を入力できる装置）により実現できる。
【００５７】
接続部５２は、パーソナルコンピュータ等の外部端末と接続して、キー端末４０と外部端末との間でデータをやり取りするためのものである。具体的には、ＵＳＢコネクタや、ＩＥＥＥ１３９４コネクタなどの高速シリアルコネクタ等により実現できる。なお、接続部５２を設けずに、送受信部４２により外部端末とのデータのやり取りを行うようにしてもよい。
【００５８】
カメラ部５４は、受光素子が受光した光をデータ化して記憶することにより、写真画像データを取得するものである。具体的には、ＣＣＤやＣＭＯＳなどをイメージセンサとして用いるデジタルカメラにより実現できる。本実施形態では、キー端末４０が車両１０に装着されていない状態で、キー端末４０をデジタルカメラとして機能させることができる。
【００５９】
位置情報センサ８０は、衛星や基地局等から発信される電波や超音波などを受信して、三点測量法により衛星や基地局等との位置関係を測定し、現在地の緯度・経度を計算するためのものである。具体的には、ＧＰＳセンサ等により実現することができる。
【００６０】
加速度センサ８２は、キー端末４０の速度が一定時間にどの位変化したかを検出するためのものである。具体的には、静電容量の変化を用いて加速度を検出する静電容量型の加速度センサや、圧電素子を用いて加速度を検出する圧電型の加速度センサ等により実現することができる。
【００６１】
記憶部９０は、処理部１００や通信部９４などのワーク領域となるもので、その機能はＲＡＭなどのハードウェアにより実現できる。
【００６２】
情報記憶媒体９２（コンピュータにより読み取り可能な媒体）は、プログラムやデータなどを格納するものであり、その機能は、メモリ（ＲＯＭ）などのハードウェアにより実現できる。処理部１００は、この情報記憶媒体９２に格納されるプログラム（データ）に基づいて本実施形態の種々の処理を行う。即ち情報記憶媒体９２には、本実施形態の各部としてコンピュータを機能させるためのプログラム（各部をコンピュータに実現させるためのプログラム）が記憶（記録、格納）される。
【００６３】
通信部９４は、他のキー端末との間で通信を行うための各種の制御を行うものであり、その機能は、各種プロセッサ又は通信用ＡＳＩＣなどのハードウェアや、プログラムなどにより実現できる。
【００６４】
特に本実施形態のキー端末４０では、通信部９４が無線ＬＡＮ機能を備えている。具体的には、ＢｌｕｅｔｏｏｔｈやＩＥＥＥ８０２．１１規格に準拠した無線ＬＡＮ方式により実現でき、ブロードキャスト方式、ユニキャスト方式、あるいはマルチキャスト方式によるパケット通信（データ通信）を行うことができる。
【００６５】
ブロードキャスト（Broadcast）方式とは、図５（Ａ）に示すように、自機(キー端末４０−１)の通信可能範囲ＮＡ１内に存在する不特定多数の相手（ノード）に向かってデータ(データを含むパケット)を送信する通信方式である。この方式では、自機（キー端末４０−１）の通信可能範囲ＮＡの全体を意味する特殊なネットワークアドレスを指定することによってデータの送信を行う。そして図５（Ａ）に示す例では、キー端末４０−２，キー端末４０−３が、キー端末４０−１からブロードキャスト方式で送信された同じデータ（データを含むパケット）を受信することができる。
【００６６】
またユニキャスト（Unicast）方式とは、自機の通信可能範囲内で、単一のネットワークアドレスを指定して特定の相手（ノード）にデータ（データを含むパケット）を送信する通信方式であって、マルチキャスト（Multicast）方式とは、自機の通信可能範囲内で、複数の相手（ノード）のネットワークアドレスを指定して同じデータ（データを含むパケット）を送信する通信方式である。図５（Ｂ）に示す例では、キー端末４０−１が自機の通信可能範囲ＮＡ１内に存在するキー端末４０−２，キー端末４０−３にデータ（データを含むパケット）をマルチキャスト方式で送信しており、キー端末４０−２，キー端末４０−３は、それぞれの通信可能範囲ＮＡ２，ＮＡ３内に存在するキー端末４０−１のみを指定したユニキャスト方式でキー端末４０−１に対してデータ（データを含むパケット）送信していることになる。
【００６７】
振動部９６は、他機からの送信情報を受信したことなどを使用者に伝えたり、所与の演出を行うために振動を発生させるものであり、振動モータ等により実現できる。
【００６８】
キー端末発光部９８は、他機からの送信情報を受信したことなどを使用者に伝えたり、所与の演出を行うために発光するものであり、ＬＥＤ等により実現できる。
【００６９】
キー端末音出力部９９は、他機からの送信情報を受信したことなどを使用者に伝えたり、所与の演出を行うために音を発生させるものであり、スピーカやヘッドフォン等により実現できる。
【００７０】
なお本実施形態の各部としてコンピュータを機能させるためのプログラム（データ）は、ホスト（サーバー）が有する情報記憶媒体からネットワーク（広域ネットワーク、インターネット）及び通信部９４を介して情報記憶媒体９２（記憶部９０）に配信するようにしてもよい。このようなホスト（サーバー）の情報記憶媒体の使用も本発明の範囲内に含まれる。
【００７１】
処理部１００（プロセッサ）は、操作部４８からの操作データやプログラムなどに基づいて、各種情報の取得処理、生成処理、送出処理等の各種情報処理、表示制御処理、或いは音生成処理などの各種の処理を行う。この場合、処理部１００は、記憶部９０内の主記憶部をワーク領域として使用して、各種の処理を行う。この処理部１００の機能は、各種プロセッサ（ＣＰＵ、ＤＳＰ等）又はＡＳＩＣ（ゲートアレイ等）などのハードウェアや、プログラム（ゲームプログラム）により実現できる。
【００７２】
処理部１００は、取得情報処理部１０２、表示制御部１０４、キー端末演出制御部１０６、通信制御部１０８、タイマ部１１０を含む。
【００７３】
取得情報処理部１０２は、操作部４８からの操作データ、外部端末からの制御信号、記憶部９０のプログラムなどに基づいて、各種情報を取得して記憶部９０に記憶させたり、送受信部４２、接続部５２、通信部９４を介して外部端末に情報を送出するための処理を行う。
【００７４】
特に本実施形態では、取得情報処理部１０２は演出情報取得部として機能し、パーソナルコンピュータ等の外部端末の記憶媒体から所与の演出情報を取得する。本実施形態では、インターネットやＣＤなどのメディアからパーソナルコンピュータにダウンロードされた演出情報を、パーソナルコンピュータ等から接続部５２を介して受付け、記憶部９０に格納する。
【００７５】
また、取得情報処理部１０２は、取得した演出情報と、車両を起動させるための認証情報とを、送受信部４２を介して車両１０に送信するための処理を行う。本実施形態では、キー端末４０が車両１０の装着部６６に装着されると、送受信部４２を介して認証情報を送出する。そして、認証情報が適合する場合に車両１０から送出される制御信号を受信すると、演出情報を送信するための処理を行う。
【００７６】
また、取得情報処理部１０２は入力情報取得部として機能し、車両１０を起動させていない場合に、操作部４８から使用者の入力情報を取得する。本実施形態では、使用者がパーソナルコンピュータ等の外部端末に所定のフォーマットに基づいて入力した使用者の名前や住所、誕生日などの個人情報や、キー端末４０の設定情報等を、パーソナルコンピュータ等から接続部５２を介して受付け、記憶部９０に格納する。また、キー端末４０の表示部４４に使用者に対する質問を示す画像を表示して、使用者に操作部４８から入力させた入力情報を受付けて、記憶部９０に格納する。このとき、各種入力情報は、外部端末に入力したときのフォーマット情報に関連付けて、また、表示部４４に表示した質問文章画像に関連付けて記憶部９０に格納する。
【００７７】
また、取得情報処理部１０２は位置情報取得部として機能し、ＧＰＳセンサから位置情報を取得する。特に、本実施形態では、車両１０が走行している間の位置情報を移動経路として記憶部９０に格納する。
【００７８】
また、取得情報処理部１０２は写真画像情報取得部として機能し、カメラ部５４から写真画像情報を取得する。特に、本実施形態では、取得した写真画像情報と、当該写真画像情報を取得したときの位置情報とを関連付けて記憶部９０に格納する。本実施形態では、キー端末４０が操作ボタン４８の操作によりカメラモードとされた場合に、撮像スイッチとして機能する操作ボタン４８が押された時点での位置情報と、当該操作により撮像された写真画像情報とを関連付けて記憶部９０に格納する。
【００７９】
また、取得情報処理部１０２は車両情報取得部として機能し、車両１０から車両情報を取得する。また、取得情報処理部１０２は加速度情報取得部として機能し、加速度センサからキー端末４０（車両１０）の加速度情報を取得する。
【００８０】
また、取得情報処理部１０２は情報生成部として機能し、各種取得情報やプログラムに基づき、予め記憶されている文章データ等を編集、加工して新たな文章データを生成する処理を行う。例えば、表示部４４に表示させる文章の画像として、入力情報に基づき使用者の名前を定型文章データに挿入して、使用者の名前を表示して使用者に呼びかける文章データを生成する。
【００８１】
表示制御部１０４は、操作部４８からの操作データ、記憶部９０の各種取得データ、プログラム、画像データなどに基づいて、表示部４４に表示させる画像の表示制御を行う。具体的には、キャラクタ画像の位置や回転角度（Ｘ、ＹまたはＺ軸回り回転角度）を求める処理、キャラクタ画像を移動・動作させる処理（モーション処理やアニメーション処理）、文字画像を表示させる処理等の各種表示制御処理を行う。
【００８２】
特に本実施形態では、表示制御部１０４は、車両１０が起動された旨の情報又は車両１０が終了された旨の情報を車両１０から受信すると、車両１０の起動時又は終了時において、入力情報、位置情報、写真画像情報、車両情報、加速度情報等の各種取得データに基づき画像の表示制御を行う。具体的には、取得情報処理部１０２で生成された文章データを表示部４４に表示させたり、位置情報に基づき位置の変位に応じた定型文章データを選択して表示部４４に表示させる。
【００８３】
また、表示制御部１０４は、車両１０の起動時等にかかわらず、所与のアルゴリズムやタイマ値、ランダム値等に基づいて、使用者に対する質問を示す質問文章を表示させる。これにより、更に使用者から入力情報を取得する。そして、取得した入力情報に応じて表示させる質問文章を選択して表示させる。ここで、キャラクタ画像データや文章データ等は、情報記憶媒体９２に記憶させておいてもよいし、外部記憶媒体からダウンロードして記憶部９０に記憶するようにしてもよい。
【００８４】
キー端末演出制御部１０６は、外部記憶媒体から取得した演出情報に基づき、表示部４４、振動部９６、キー端末発光部９８等を制御して、キー端末４０において所与の演出を行わせる。例えば、キー端末演出制御部１０６は、車両１０が起動された旨の情報又は車両１０が終了された旨の情報を車両１０から受信すると、車両１０の起動時又は終了時において、演出情報に基づいて演出制御を行う。
【００８５】
通信制御部１０８は、他のキー端末４０に送信するパケット（画像データ、文章データ）を生成する処理、パケット送信先のキー端末４０のネットワークアドレスを指定する処理、受信したパケットを記憶部９０に保存する処理、受信したパケットを解析する処理、その他のパケットの送受信に関する通信部９４の制御処理等を行う。そして本実施形態では、通信制御部１０８は、自機のキー端末４０の各種取得情報に基づいて生成されたパケットを、自機の通信可能範囲に対して通信部９４に送信させる。
【００８６】
タイマ部１１０は、時間を計時（カウント）する処理を行う。例えば、フレーム（１／６０秒、１／３０秒）更新のタイミングでカウント値（カウント値の変数）をカウントアップすることで時間を計時する。或いは、システムが有するリアルタイムクロックのタイマを用いて時間を計時してもよい。
【００８７】
パラメータ設定部１１２は、キー端末４０の表示部４４に表示させるキャラクタのパラメータを設定する。そして、取得情報処理部１０２が取得した情報に基づき、キャラクタのパラメータを更新する。例えば使用者の入力情報、ＧＰＳセンサから位置情報、カメラ部から写真画像情報、車両から車両情報、加速度センサから車両の加速度情報、及びこれら各種情報の任意の組合せに基づいて、キャラクタのパラメータを更新する。ここでパラメータとしては、キャラクタの能力、性格、成長度など、種々のパラメータを設定することができる。
【００８８】
３．処理の流れ
以下、本実施形態のキー端末４０及び車両１０における処理の流れを説明する。図６は、車両１０の起動時の処理の流れの一例を示すフローチャート図である。ここで、車両１０の起動とは、キー端末４０を車両１０に装着すること、車両１０の電気系統を起動させること、駆動系統を起動させることを含む。まず、ステップＳ２において、キー端末４０が、パーソナルコンピュータ等の外部端末から、使用者が所定のフォーマットに基づいて入力した入力情報や設定情報、そしてインターネットやＣＤなどのメディアからダウンロードした演出情報を取得する。このように、本実施形態では、使用者が車両１０を運転していないときにキー端末４０を携帯し、パーソナルコンピュータ等の外部端末と接続して種々の情報をキー端末４０にダウンロードさせることができる。
【００８９】
そして、ステップＳ４において、キー端末４０が車両１０の装着部６６に装着された場合には、ステップＳ６において、キー端末４０が認証情報を送信する。そして、ステップＳ８において、車両１０が認証情報が適合と判定すると（ステップＳ８のＹ）、車両１０が適合である旨の制御信号を送信し、ステップＳ１０において、キー端末４０がキー端末４０の表示部４４に、各種取得情報に応じた画像を表示させる。
【００９０】
図７（Ａ）は、このとき表示部４４に表示される画像の一例である。図７（Ａ）に示すように、表示部４４には、使用者が外部端末で設定したキャラクタ画像ＣＨが表示され、使用者が外部端末で入力した入力情報や、車両情報、ＧＰＳ情報等の各種取得情報を反映した文字が表示される。図７（Ａ）の例は、使用者が初めてキー端末４０を車両１０に装着した場合であり、使用者が入力した名前情報ＮＭと、「はじめまして！」という定型文章情報ＦＳとが表示される。この定型文章情報ＦＳは、車両情報又はＧＰＳ情報に基づき、これまで走行履歴がないことから選択されたものである。従って、例えば、２回目以降の装着時には「今日はどこへ行くの？」などの定型文章情報ＦＳが選択されるなど、状況に応じた定型文章情報ＦＳが選択され表示部４４に表示される。
【００９１】
一方、ステップＳ８において、車両１０が認証情報が不適合と判定すると（ステップＳ８のＮ）、車両１０が不適合である旨の制御信号を送信し、ステップＳ９において、エラー表示を行い処理を終了する。
【００９２】
そして、ステップＳ１２において、キー端末４０が演出情報を送信し、車両１０のメモリに演出情報を格納する。そして、ステップＳ１４において、スタータスイッチ６４が押され駆動部１３が起動されると（ステップＳ１４のＹ）、ステップＳ１６において、車両１０が、演出情報に基づいて車両１０の車両表示部６８、スピーカ２２、ヘッドライト２４、ウィンカーランプ２６・３０、テールランプ２８等ライト２４、ウィンカーランプ２６・３０、テールランプ２８等を制御して車両１０の起動時の演出を行う。例えば、本実施形態の車両１０を電動バイクとした場合には、図７（Ｂ）に示すように、ガソリンエンジンバイクを起動させたときの排気音の音データを演出情報として含ませておき、排気音データを再生出力しながらランプ類を所定時間点滅させるようにしてもよい。
【００９３】
図８は、車両１０の終了時の処理の流れの一例を示すフローチャート図である。ここで、車両１０の終了とは、キー端末４０を車両１０から取り外すこと、車両１０の電気系統を終了させること、駆動系統を終了させることを含む。まず、ステップＳ２０において、駆動部１３が起動している場合に、スタータスイッチ６４が押され駆動部１３が終了されると（ステップＳ２０のＹ）、ステップＳ２２において、車両１０が、演出情報に基づいて車両１０の車両表示部６８、スピーカ２２、ヘッドライト２４、ウィンカーランプ２６・３０、テールランプ２８等を制御して車両１０の終了時の演出を行う。終了時の演出は起動時と異なり、点灯していたランプ類が次第に消えていくように制御してもよい。
【００９４】
そして、ステップＳ２４において、キー端末４０が、キー端末４０の表示部４４に各種取得情報に応じた画像を表示させる。図９（Ａ）は、このとき表示部４４に表示される画像の一例である。図９（Ａ）に示すように、表示部４４には、起動時と同様にキャラクタ画像ＣＨが表示され、入力情報や、車両情報、ＧＰＳ情報等の各種取得情報を反映した文字が表示される。特に、車両１０の終了時には、車両情報、ＧＰＳ情報、加速度情報等の各種取得情報の情報量が増加しており、車両１０の使用者と車両１０の走行に関連付けた種々の情報を表示部４４に表示させることができる。
【００９５】
例えば、図９（Ａ）では、使用者が入力した名前情報ＮＭと、「たくさん走ったね！」又は「随分遠くまできたね！」という定型文章情報ＦＳとが表示される。この定型文章情報ＦＳは、車両情報の走行距離又はＧＰＳ情報の位置の変位に基づき、出発地点からの走行距離又は移動距離が多いことから選択されたものである。従って、例えば、走行距離等が少ない場合には「もっと走ろうよ〜。」などの定型文章情報ＦＳが選択されるなど、状況に応じた定型文章情報ＦＳが選択され表示部４４に表示される。このような定型文章情報ＦＳは、各種取得情報に対応させてテーブルデータとして記憶部９０に記憶されている。
【００９６】
また、図９（Ｂ）に示すように、加速度センサ８２から取得した加速度情報に基づいて使用者の運転状況を基準値と比較判定して評価を行い、評価結果に基づいてキャラクタＣＨの表情を変化させたり、キャラクタＣＨのパラメータ値を更新するようにしてもよい。例えば、加速度の変化が激しく、急発進、急停止が多かった場合には、評価結果に基づき「もうちょっと安全運転してね。」という定型文章情報ＦＳが表示され、キャラクタＣＨの表情が疲れきった表情となる。
【００９７】
また、加速度の変化が激しい乱暴な運転を継続的に行っていると、加速度情報に基づきキャラクタＣＨの体力パラメータをマイナスに更新して、キャラクタＣＨが病気になってしまうように表示させる。また、加速度の変化が少ない安全運転を継続的に行っていると、加速度情報に基づきキャラクタＣＨの体力パラメータをプラスに更新して、走行回数を重ねる度にキャラクタＣＨがたくましく成長するように表示させる。
【００９８】
このように、本実施形態では、車両１０の起動時及び終了時において、キー端末４０の表示部４４にキー端末４０の使用者固有の各種取得情報に応じた画像を表示させることができる。更に、車両１０の起動時及び終了時において、車両１０において使用者の嗜好に合わせた演出を行うことができる。また、使用者が車両１０、キー端末４０を試用すればするほど、様々な入力情報や、車両情報、ＧＰＳ情報等の各種取得情報を反映した演出を行うことができる。これにより、本実施形態によれば、車両１０及びキー端末４０自体に対する使用者の愛着心を効果的に高め、使用者における車両１０及びキー端末４０の価値を著しく高めることができる。
【００９９】
図１０は、キー端末４０を車両から取り外したときの処理の流れの一例を示すフローチャート図である。キー端末４０は、使用者が車両１０を運転しないときには車両１０から取り外して持ち歩くことができる。そして本実施形態では、車両を起動させていない場合に、キー端末４０の表示部４４に使用者に対する質問文章情報ＱＳを表示させ、使用者は操作部４８を操作して質問文章情報ＱＳに対する入力情報をキー端末４０に入力することができる。
【０１００】
まず、ステップＳ３０において、タイマ部１１０のカウント値が、ランダムに抽出されたカウント値となった場合には、ステップＳ３２において、質問文章情報ＱＳを表示部４４に表示させる。そして、ステップＳ３４において、振動部９６を振動させて、使用者に質問文章情報ＱＳを表示させたことを報知する。なお、キー端末発光部９８を発光させることにより、またはキー端末音出力部９９から音を出力することにより報知を行ってもよい。
【０１０１】
図１１（Ａ）は、このとき表示部４４に表示される画像の一例である。図１１（Ａ）の例では、表示部４４には「（１）カレーと（２）ラーメンどっちが好き？」という２枝択一形式の質問文章情報ＱＳ１が表示される。そして、ステップＳ３６において質問文章情報ＱＳ１についての入力を受付け、使用者は質問文章情報ＱＳ１の内容を見ながら操作ボタン４８のいずれかを操作して、質問文章情報ＱＳ１に対応する入力情報を入力する。
【０１０２】
すると、ステップＳ３８において、先の質問文章情報ＱＳ１に対する入力情報に応じて、次の質問文章情報ＱＳ２が表示される。例えば、先の質問文章情報ＱＳ１に対して（２）を選択した場合には、図１１（Ｂ）に示すように、「何でラーメンが好き？（１）ラーメンの方がおいしいから（２）辛い物が苦手」というような質問文章情報ＱＳ２が表示される。そして、ステップＳ４０において、質問文章情報ＱＳ２についての入力を受付ける。そして、ステップＳ４２において、使用者から取得した質問文章情報ＱＳに対応する入力情報に基づいてデータベースを作成する。
【０１０３】
このように、本実施形態では、使用者が車両１０から離れているときでもキー端末４０とコミュニケーションを行わせることができる。そして、使用者の入力情報をデータベース化することにより、使用者固有の入力情報に応じた画像や文章を表示部４４に表示させることができる。従って本実施形態によれば、車両１０及びキー端末４０自体に対する使用者の愛着心を効果的に高め、使用者における車両１０及びキー端末４０の価値を著しく高めることができる。
【０１０４】
図１２は、キー端末４０を用いて通信を行う場合の処理の流れの一例を示すフローチャート図である。本実施形態では、自機のキー端末４０−１と他機のキー端末４０−２との間で通信を行い、互いにメールを送受信することができる。
【０１０５】
まず、ステップＳ５０において、自機のキー端末４０−１がその通信可能範囲に他機のキー端末４０−２を検出した場合には、ステップＳ５２において、振動部９６を振動させて、使用者に他機のキー端末４０−２を検出したことを報知する。すると、ステップＳ５４において、他機のキー端末４０−２にメールを送信するか否かを選択させる画像を表示部４４に表示させる。ここで、送信許可の操作入力を受け付けた場合には（ステップＳ５４のＹ）、ステップＳ５６において、自機のキー端末４０−１からメールを送信し、送信したメールの内容を表示部４４に表示させる。
【０１０６】
図１３は、このとき表示部４４に表示される送信メールの画像の一例である。図１３の例では、表示部４４には自機のキー端末４０−１の使用者の名前情報ＮＭや車両情報ＢＩ、入力情報に基づく情報ＡＩ等が含まれている。この送信メールは、各種の取得情報に基づいて生成されるものであり、本実施形態では、使用者の名前情報ＮＭ等の各種の取得情報を、定型文章情報ＦＳに挿入して生成し、これを送信メールとして送信する。なお、複数の送信メールを用意しておき、使用者にメール送信前にいずれの送信メールを送信するか選択させてもよい。
【０１０７】
そして、ステップＳ５８において、他機のキー端末４０−２からの受信メールがある場合には、ステップＳ６０において、他機のキー端末４０−２からのメールを受信するか否かを選択させる画像を表示部４４に表示させる。ここで、受信許可の操作入力を受け付けた場合には（ステップＳ６０のＹ）、ステップＳ６２において、他機のキー端末４０−２からのメールを受信し、受信したメールの内容を表示部４４に表示させる。
【０１０８】
このように、本実施形態によれば、同種の車両１０の使用者間でキー端末４０を介してコミュニケーションを行うことができる。従って、車両１０及びキー端末４０自体に対する使用者の愛着心を効果的に高め、使用者における車両１０及びキー端末４０の価値を著しく高めることができる。
【０１０９】
なお本発明は、上記実施形態で説明したものに限らず、種々の変形実施が可能である。例えば、起動時の演出として、車両１０における演出と、キー端末４０における演出を同時に行ってもよいし、順序を入れ替えて行ってもよい。
【０１１０】
また、車両１０の車両表示部２７に、キー端末４０の表示部４４と同様の画像を表示させてもよい。この場合には、車両１０の起動時及び終了時の少なくとも一方において、車両１０の車両表示部２７に表示させる画像を制御して所与の演出を行わせればよい。
【０１１１】
また、キー端末４０の表示部４４にキャラクタを表示させ、操作部４８からの操作情報とプログラムに基づいてゲームを実行するようにしてもよい。この場合には、使用者の入力情報、ＧＰＳセンサから位置情報、カメラ部から写真画像情報、車両から車両情報、加速度センサから車両の加速度情報、及びこれら各種情報の任意の組合せに基づいて、キャラクタのゲームパラメータを更新するようにしてもよい。
【０１１２】
例えばキー端末４０において育成ゲームを実行し、各種取得情報に基づいてキャラクタの各種パラメータを更新する。例えば加速度センサ８２からの加速度情報に基づき、加速度の変化が激しい乱暴な運転を継続的に行っていると、キャラクタＣＨの病気パラメータを更新して、キャラクタＣＨが病気になってしまうように表示させる。また、加速度の変化が少ない安全運転を継続的に行っていると、加速度情報に基づきキャラクタＣＨのたくましさパラメータを更新して、走行回数を重ねる度にキャラクタＣＨがたくましく成長するように表示させる。
【０１１３】
またキー端末４０においてロールプレイングゲームを実行し、各種取得情報に基づいてキャラクタの各種パラメータを更新する。例えば車両情報センサ１５からの車両情報に基づき、車両１０の走行距離が長くなるにつれ、キャラクタＣＨの経験値パラメータを更新する。そして車両１０の走行距離が長くなるにつれ、ゲーム上に登場する強い敵を倒せるようになったり、走行距離が少ない場合には入れなかったダンジョンを探検できるようにしてもよい。
【０１１４】
またキー端末４０においてキャラクタが所与のゲーム空間内で移動・動作するゲームを実行し、各種取得情報に基づいてキャラクタの移動・動作の制御を行うようにしてもよい。例えば車両情報センサ１５からの走行距離情報や、ＧＰＳセンサ８０からの位置情報に基づき、車両１０の走行距離が長くなるにつれ、キャラクタＣＨのゲーム空間内での移動距離を長くするようにしてもよい。例えばキャラクタＣＨにゲーム空間内でバイク旅行を行わせ、車両１０の走行距離が長くなるにつれ色々な国を訪問していくようにしてもよい。また、加速度センサ８２からの加速度情報に基づき、キャラクタＣＨの移動速度を制御してもよい。
【図面の簡単な説明】
【０１１５】
【図１】本実施形態の車両の概略外観図。
【図２】本実施形態のキー端末の概略外観図。
【図３】本実施形態の車両にキー端末を装着した場合の概略外観図。
【図４】本実施形態の車両とキー端末の機能ブロック図。
【図５】本実施形態のキー端末の無線通信機能の説明図。
【図６】本実施形態の処理例を示すフローチャート。
【図７】図７（Ａ）は、本実施形態のキー端末で行われる演出の説明図。図７（Ｂ）は、本実施形態の車両で行われる演出の説明図。
【図８】本実施形態の処理例を示すフローチャート。
【図９】図９（Ａ）（Ｂ）は、本実施形態のキー端末で行われる演出の説明図。
【図１０】本実施形態の処理例を示すフローチャート。
【図１１】図１１（Ａ）（Ｂ）は、本実施形態のキー端末で行われる演出の説明図。
【図１２】本実施形態の処理例を示すフローチャート。
【図１３】本実施形態のキー端末で行われる演出の説明図。
【符号の説明】
【０１１６】
ＣＨ  キャラクタ、ＮＭ  名前情報、ＦＳ  定型文章情報、ＱＳ  質問文章情報、
ＢＩ  車両情報、ＡＩ  回答情報、
１０  車両、１１  送受信部、１３  駆動部、１５  車両情報センサ、
２３  音出力部、２５  車両発光部、２７  車両表示部、
３１  車両処理部、３３  車両制御部、３５  演出制御部
４０  キー端末、４２  送受信部、４８  操作部、
５０  表示部、５２  接続部、５４  カメラ部、
８０  位置情報センサ、８２  加速度センサ、
９０  記憶部、９２  情報記憶媒体、９４  通信部、９６  振動部、９８  キー端末発光部、  １００  処理部、１０２  取得情報処理部、１０４  表示制御部、
１０６  キー端末演出制御部、１０８  通信制御部、１１０  タイマ部、
【図１】
2007269042.tif 000003
【図２】
2007269042.tif 000004
【図３】
2007269042.tif 000005
【図４】
2007269042.tif 000006
【図５】
2007269042.tif 000007
【図６】
2007269042.tif 000008
【図７】
2007269042.tif 000009
【図８】
2007269042.tif 000010
【図９】
2007269042.tif 000011
【図１０】
2007269042.tif 000012
【図１１】
2007269042.tif 000013
【図１２】
2007269042.tif 000014
【図１３】
2007269042.tif 000015